(57)【要約】正確な紫外線照射及び正確な可視光線照射ができ正確な光安定性試験を実施するために、光安定性試験装置における光センサーは可視光線の照射量を測定する可視光線測定用センサー５及び紫外線の照射量を測定する紫外線測定用センサー６を有し、光学系は光源から発せられた光線の絶対量を調節する全光線調節手段３３１及び全光線調節手段により調節された光線の紫外線の照射量を調節する紫外線調節手段３３５を有し、制御部は可視光線測定用センサー５からの信号により全光線調節手段３３１を制御する全光線制御部及び紫外線測定用センサー６からの信号により紫外線調節手段３３５を制御するようにした。
2003002983.tif 000002
【特許請求の範囲】
【請求項１】
光源、当該光源から発せられた光線を調節する光学系、当該光学系を経た光線が照射される試料を載置するための試料台、当該試料台に取り付けられた光線の照射量を測定するための光センサー及び当該光センサーからの信号が伝達され前記光学系を制御する制御部を有する光安定性試験装置において、前記光センサーは可視光線の照射量を測定する可視光線測定用センサー及び紫外線の照射量を測定する紫外線測定用センサーを有し、前記光学系は前記光源から発せられた光線の絶対量を調節する全光線調節手段及び光線の紫外線の照射量を調節する紫外線調節手段を有し及び前記制御部は前記可視光線測定用センサーからの信号により前記全光線調節手段を制御する全光線制御部及び前記紫外線測定用センサーからの信号により前記紫外線調節手段を制御する紫外線制御部を有することを特徴とする光安定性試験装置。
【請求項２】
光源、当該光源から発せられた光線を調節する光学系、当該光学系を経た光線が照射される試料を載置するための試料台、当該試料台に取り付けられた光線の照射量を測定するための光センサー及び当該光センサーからの信号が伝達され前記光学系を制御する制御部を有する光安定性試験装置において、前記光センサーは可視光線の照射量を測定する可視光線測定用センサー及び紫外線の照射量を測定する紫外線測定用センサーを有し、前記光学系は前記光源から発せられた光線の絶対量を調節する全光線調節手段及び当該全光線調節手段により調節された光線の紫外線の照射量を調節する紫外線調節手段を有し及び前記制御部は前記可視光線測定用センサーからの信号により前記全光線調節手段を制御する全光線制御部及び前記紫外線測定用センサーからの信号により前記紫外線調節手段を制御する紫外線制御部を有することを特徴とする光安定性試験装置。
【請求項３】
前記光学系は紫外線の経路を可視光線の経路と異ならせるための光線選別手段及び紫外線を可視光線と合流させるための光線合流手段を有し、前記紫外線調節手段は前記光線選別手段を経た紫外線の照射量を調節することを特徴とする請求の範囲第１項又は第２項記載の光安定性試験装置。
【請求項４】
前記光線選別手段はダイクロイックミラーであることを特徴とする請求の範囲第３項記載の光安定性試験装置。
【請求項５】
前記光線合流手段はダイクロイックミラーであることを特徴とする請求の範囲第３項又は第４項記載の光安定性試験装置。
【請求項６】
前記全光線調節手段は移動可能な複数のフィルターを有することを特徴とする請求の範囲第１項，第２項、第３項、第４項又は第５項記載の光安定性試験装置。
【請求項７】
前記複数のフィルターは二個のフィルターであって対称的に動作可能になっていることを特徴とする請求の範囲第６項記載の光安定性試験装置。
【請求項８】
前記光学系は光線の光束を制御するための光束制御手段を有することを特徴とする請求の範囲第１項，第２項、第３項、第４項、第５項、第６項又は第７項記載の光安定性試験装置。
【請求項９】
前記光束制御手段はインテグレーテッドレンズであることを特徴とする請求の範囲第８項記載の光安定性試験装置。
【請求項１０】
前記紫外線調節手段は前記光束制御手段を経た光線の紫外線の照射量を調節する位置に設けられていることを特徴とする請求の範囲第８項又は第９項記載の光安定性試験装置。
【請求項１１】
光源、当該光源から発せられた光線が照射される試料を載置するための試料台、当該試料台に取り付けられた光線の照射量を測定するための光センサー及び当該光センサーからの信号が伝達され前記光源を制御する制御部を有する光安定性試験装置において、前記光源は紫外線過多光源及び紫外線過少光源を有することを特徴とする光安定性試験装置。
【請求項１２】
前記光センサーは可視光線の照射量を測定する可視光線測定用センサー及び紫外線の照射量を測定する紫外線測定用センサーを有し、前記光源及び試料台間に前記光源から発せられた光線の紫外線の照射量を調節する紫外線調節手段を有し及び前記制御部は前記可視光線測定用センサーからの信号により前記光源を制御する光源制御部及び前記紫外線測定用センサーからの信号により前記紫外線調節手段を制御する紫外線制御部を有することを特徴とする請求の範囲第１１項記載の光安定性試験装置。
【請求項１３】
前記光センサーは可視光線の照射量を測定する可視光線測定用センサー及び紫外線の照射量を測定する紫外線測定用センサーを有し、前記制御部は前記可視光線測定用センサーからの信号により前記紫外線過少光源を制御する紫外線過少光源制御部及び前記紫外線測定用センサーからの信号により前記紫外線過多光源を制御する紫外線過多光源制御部を有することを特徴とする請求の範囲第１１項記載の光安定性試験装置。
【請求項１４】
前記光源制御部における制御は前記光源のインバータ調光による点滅制御によることを特徴とする請求の範囲第１２項又は第１３項記載の光安定性試験装置。
【請求項１５】
前記光源制御部における制御は前記光源の位相制御による点滅制御によることを特徴とする請求の範囲第１２項又は第１３項記載の光安定性試験装置。
【請求項１６】
前記試料台は回転可能であることを特徴とする請求の範囲第１項，第２項，第３項，第４項，第５項，第６項，第７項，第８項，第９項，第１０項，第１１項，第１２項，第１３項、第１４項又は第１５項記載の光安定性試験装置。
【請求項１７】
前記試料台の上に回転可能な小試料台が設けられていることを特徴とする請求の範囲第１６項記載の光安定性試験装置。
【請求項１８】
前記試料台と小試料台との回転比は７以上であることを特徴とする請求の範囲第１７項記載の光安定性試験装置。
【請求項１９】
前記制御部における制御は前記光センサーからの照射に関する信号の照射瞬時値に照射積算値を加味して補正する補正制御部を有することを特徴とする請求の範囲第１項，第２項，第３項，第４項，第５項，第６項，第７項，第８項，第９項，第１０項，第１１項，第１２項，第１３項，第１４項，第１５項，第１６項、第１７項又は第１８項記載の光安定性試験装置。
【発明の詳細な説明】
技術分野
本発明は、例えば、薬品等の光安定性を試験するための光安定性試験装置に関する。
背景技術
従来の光安定性試験装置を第８図、第９図、第１０図及び第１１図を参照しつつ説明する。
第８図は、従来技術に係る第一の光安定性試験装置を示す要部正面図である。この光安定性試験装置１は、光源２から発せられた光線を光学系３で調節して試料台４に載置された図示しない試料に照射し試料の光安定性を試験するものである。光学系３は、主に、第一反射鏡３１、光線調節手段３３、光束制御手段であるインテグレーテッドレンズ３５，第二反射鏡３７及び第三反射鏡３９から成っている。インテグレーテッドレンズ３５は、チョーク状の石英の棒が束にしてあり上部に球面ガラスが貼り付けてある。ここを光線が通ると石英柱一本一本が小さな光源のような挙動をする。これにより、例えば、所定の絞りを通った光束が長方形であっても円形の光束に変えることができる。
４は図示しない試料を載置するための試料台でこの試料台４に可視光線の照射量を測定するための可視光線測定用センサー５と紫外線の照射量を測定するための紫外線測定用センサー６が取り付けられている。尚、試料台４は駆動装置７の駆動力により回転軸７１を介して回転可能になっている。
この従来技術に係る第一の光安定性試験装置１においては、大きくランプハウス８と試料室９に分けられており、上記構成のうち光源２及び光学系３のうちの第一反射鏡３１、光線調節手段３３、光束制御手段であるインテグレーテッドレンズ３５及び第二反射鏡３７がランプハウス８のなかに設置され、光学系３のうちの第三反射鏡３９及び試料台４が試料室９のなかに設置されている。
第９図は、上記構成を有する第一の光安定性試験装置１を詳細に示したものである。即ち、光学系３のなかの光線調節手段３３は、全光線調節手段３３１である絞り及び紫外線調節手段３３３である紫外線制限フィルターを有している。全光線調節手段３３１である絞りは可視光線及び紫外線全ての光線量を一律に調節制御するものであり、紫外線調節手段３３３である紫外線制限フィルターは光線のなかの紫外線のみ（特に、遠紫外線）を制御するものである。９１は試料室９に設けられた石英ガラス製の入射窓である。尚、光源２としてはキセノンランプを使用している。
上記構成を有する第一の光安定性試験装置１では、まず、試料台４の上に図示しない試料が置かれる。その後、光源２のキセノンランプから光線が発せられる。この光線はまず、第一反射鏡３１により集光され、その後、紫外線を制限するため紫外線調節手段３３３である紫外線制限フィルターを通過する。その後、全体光量即ち可視光線及び紫外線全ての光線量を調節制限するため全光線調節手段３３１である絞りを通過させる。その後、光束制御手段であるインテグレーテッドレンズ３５により光線の方向を整える。その後、第二反射鏡３７により光線の方向を略水平に変え石英ガラス製の入射窓９１を通って試料室９に入り、更に第三反射鏡３９により下方に反射し試料台４に載置された図示しない試料に照射される。尚、長時間にわたって照射されるため、照射分布を良くするため、照射中、駆動装置７により回転軸７１を介して試料台４が回転され、試料の光安定性が試験されることになる。
尚、上記照射中、可視光線測定用センサー５又は紫外線測定用センサー６いずれか一方からの信号が図示しない制御部に伝達され、この制御部で演算して光線量及び時間を制御している。
一方、第１０図は、従来技術に係る第二の光安定性試験装置を示す要部正面図である。この第二の光安定性試験装置１は上記した第一の光安定性試験装置と異なり、光源２が蛍光灯のような管型光源で大規模な光学系を有せず、単に反射鏡３１を有するものである。即ち、この第二の光安定性試験装置１においては光源２から発せられた光線が直接試料に照射されることになる。３３３は固定式の紫外線調節手段で光源からの紫外線量を調節するためのものである。
５は可視光線測定用センサー、６は紫外線測定用センサーで試料台４に取り付けられている。試料台４は駆動装置７の駆動力により回転軸７１を介して回転可能になっている。
照射中、可視光線測定用センサー５からの信号によって光源２の光量が調節される。また、紫外線測定用センサー６による測定値は積算され記録される。
しかし、上記従来技術に係る光安定性試験装置１においては次のような問題点があった。
第１１図は、太陽光、キセノンランプ及びＤ６５ランプ（東芝製ＦＬＲ２０Ｓ・Ｄ−ＥＤＬ−Ｄ６５／Ｍ）のスペクトル分布を示す図である。横軸に波長を示し、縦軸に強度の相対値を示している。第１１図に示されるように、キセノンランプ及びＤ６５ランプという太陽光近似光源のスペクトル分布は、太陽光のスペクトル分布と比較して紫外線部分が過剰になっている。尚、一般に、可視光は３８０ｎｍから７８０ｎｍの範囲で、実際に人間の目で見ることができる光である。紫外光は波長が２００ｎｍから３８０ｎｍにあるので、肉眼では見ることができない。厳密にいえばこの波長範囲は近紫外といい、１００ｎｍから２００ｎｍを遠紫外と呼ぶ（「光測定ハンドブック」第５７２頁、田幸敏治・辻内順平・南茂夫編集１９９７年１月２０日第２版発行）。
一方、試料である医薬品等の光安定性試験における厚生省の基準は太陽光を基準に定めれられており、具体的には、積算照射量は、可視光線が１２００ｋＬｘｈｒ以上、紫外線が２００ｗｈｒ／ｍ２以上と規定されている。
従って、従来技術に係る光安定性試験装置１では、キセノンランプのような紫外線過剰の光源２では、紫外線調節手段３３３である紫外線制限フィルターは固定式のもので、紫外線量を上記規定値付近に設定している。
しかし、光安定性試験は長時間に及び、例えば、瞬時照射値として、１０００Ｌｘを選ぶ場合、１２００時間にも及ぶ。従って、時間経過とともに、光源２や光学系３の劣化が生じる。また、この劣化傾向は可視光に比べ紫外線部分で大きく、上記紫外線調節手段３３３である紫外線制限フィルターにおける減光値をぎりぎりに設計しておくと、可視光が１２００ｋＬｘｈｒ到達時、紫外線が不足するおそれがあり、結果として、正確な光安定性試験を実施したことにならないという問題点があった。
一方、上述した第二の光安定性試験装置においては、光源２等の劣化傾向に複数の光源２間で差異があり予測が困難である。従って、通常は、やや過剰に設定され、光源２が新品のときは可視光線の積算照射量が１２００ｋＬｘｈｒに到達時、紫外線は２２０から２８０ｗｈｒ／ｍ２に達することがある。実際に、薬品等の試料に対しては紫外線の影響の方が大きい場合が多く、結果として、正確な光安定性試験を実施したことにならないという問題点があった。
そこで、本発明は、上記問題点を解決するためになされたもので、正確な紫外線照射及び正確な可視光線照射ができ正確な光安定性試験を実施しうる光安定性試験装置を提供することを目的とする。
発明の開示
上記目的を達成するために、本発明に係る光安定性試験装置は、光源、当該光源から発せられた光線を調節する光学系、当該光学系を経た光線が照射される試料を載置するための試料台、当該試料台に取り付けられた光線の照射量を測定するための光センサー及び当該光センサーからの信号が伝達され前記光学系を制御する制御部を有する光安定性試験装置において、前記光センサーは可視光線の照射量を測定する可視光線測定用センサー及び紫外線の照射量を測定する紫外線測定用センサーを有し、前記光学系は前記光源から発せられた光線の絶対量を調節する全光線調節手段及び光線の紫外線の照射量を調節する紫外線調節手段を有し及び前記制御部は前記可視光線測定用センサーからの信号により前記全光線調節手段を制御する全光線制御部及び前記紫外線測定用センサーからの信号により前記紫外線調節手段を制御する紫外線制御部を有するものである。ここで、「光線の絶対量」とは可視光及び紫外光全てを合わせた照射量をいう。
また、前記光学系は前記光源から発せられた光線の絶対量を調節する全光線調節手段及び当該全光線調節手段により調節された光線の紫外線の照射量を調節する紫外線調節手段を有することが好ましい。
また、光学系は紫外線の経路を可視光線の経路と異ならせるための光線選別手段及び紫外線を可視光線と合流させるための光線合流手段を有し、前記紫外線調節手段は前記光線選別手段を経た紫外線の照射量を調節することが好ましい。
また、光線選別手段はダイクロイックミラーであることが好ましい。
また、光線合流手段はダイクロイックミラーであることが好ましい。
また、全光線調節手段は移動可能な複数のフィルターを有することが好ましい。
また、複数のフィルターは二個のフィルターであって対称的に動作可能になっていることが好ましい。
また、光学系は光線の光束を制御するための光束制御手段を有することが好ましい。
また、光束制御手段はインテグレーテッドレンズであることが好ましい。
また、紫外線調節手段は光束制御手段を経た光線の紫外線の照射量を調節する位置に設けられていることが好ましい。
さらに、本発明に係る光安定性試験装置は、光源、当該光源から発せられた光線が照射される試料を載置するための試料台、当該試料台に取り付けられた光線の照射量を測定するための光センサー及び当該光センサーからの信号が伝達され前記光源を制御する制御部を有する光安定性試験装置において、前記光源は紫外線過多光源及び紫外線過少光源を有するものである。「紫外線過多光源」とは、太陽光と比較して紫外線成分が多い光源をいい、「紫外線過少光源」とは、太陽光と比較して紫外線成分が少ない光源をいう。
また、前記光センサーは可視光線の照射量を測定する可視光線測定用センサー及び紫外線の照射量を測定する紫外線測定用センサーを有し、前記光源及び試料台間に前記光源から発せられた光線の紫外線の照射量を調節する紫外線調節手段を有し及び前記制御部は前記可視光線測定用センサーからの信号により前記光源を制御する光源制御部及び前記紫外線測定用センサーからの信号により前記紫外線調節手段を制御する紫外線制御部を有することが好ましい。また、光センサーは可視光線の照射量を測定する可視光線測定用センサー及び紫外線の照射量を測定する紫外線測定用センサーを有し、前記制御部は前記可視光線測定用センサーからの信号により前記紫外線過少光源を制御する紫外線過少光源制御部及び前記紫外線測定用センサーからの信号により前記紫外線過多光源を制御する紫外線過多光源制御部を有することが好ましい。
また、光源制御部における制御は前記光源のインバータ調光による点滅制御によることが好ましい。
また、光源制御部における制御は前記光源の位相制御による点滅制御によることが好ましい。
また、試料台は回転可能であることが好ましい。
また、前記試料台の上に回転可能な小試料台が設けられていることが好ましい。
また、前記試料台と小試料台との回転比は７以上であることが好ましい。また、前記制御部における制御は前記光センサーからの照射に関する信号の照射瞬時値に照射積算値を加味して補正する補正制御部を有することが好ましい。
発明を実施するたもの最良の形態
発明の実施の形態を実施例に基づき、図面を参照して説明する。
本発明の第一実施例を第１図、第２図及び第３図を参照しつつ説明する。第１図は、本発明の第一実施例に係る光安定性試験装置の光源及び光学系を示す要部正面図である。第２図は、本発明の第一実施例に係る光安定性試験装置の光学系における可動式の紫外線調節手段を示す要部斜視図である。第３図は、本発明の第一実施例に係る光安定性試験装置の試料台を示す要部斜視図である。
２は光源、３１は第一反射鏡及び３３は光線調節手段で、主に可動式の紫外線調節手段３３５、固定式の紫外線調節手段３３３及び可動式の全光量調節手段３３１からなる。３５は光束制御手段であるインテグレーテッドレンズ及び３７は第二反射鏡を示す。固定式の紫外線調節手段３３３は、主に遠紫外線を調節し、可動式の紫外線調節手段３３５は、主に近紫外線を調節する。
第２図に示すように、可動式の紫外線調節手段３３５は、光線経路３４５上に２本の平行なレール３４３，３４３を設け、このレール３４３，３４３上をフィルター３３９，３４１が対称的（シンメトリー）に動作可能になっている。即ち、レール３４３上をフィルター３３９及び３４１が各々互いに接近したり離れたりする動作が可能である。尚、可動式の全光量調節手段３３１も同様な原理・構成をしている。
また、図示しない制御部は試料台４に設けられた可視光線測定用センサー５からの信号により上記可動式の全光量調節手段３３１を制御する全光線制御部及び紫外線測定用センサー６からの信号により上記可動式の紫外線調節手段３３５を制御する紫外線制御部を有している。
次に、上記構成を有する本発明の第一実施例に係る光安定性試験装置の作用・効果を説明する。
まず、試料台４に試料が載置され、光源２から発せられた光線が光学系３で調節され、試料に照射されることになる。照射中、照射分布の改善のため試料台は駆動装置７により回転軸７１を介して回転される。
光源２から発せられた光線は、第一反射鏡３１により集光される。その後、固定式の紫外線調節手段３３３により遠紫外線を制御・調整する。次に、可動式の全光量調節手段３３１により全光量即ち可視光量及び紫外線量が制御される。この全光量調節手段３３１は、試料台４に設けられた可視光線測定用センサー５からの信号により制御・調節される。
全光量調節手段３３１により調節された光線は、可動式の紫外線調節手段３３５により制御される。即ち、試料台４に設けられた紫外線測定用センサー６からの信号により、レール３４３上のフィルター３３９，３４１の開け閉めにより紫外線量が制御・調節される。
具体的に、光線経路３４５のα％をフィルター３３９，３４１で遮るように動作させる。第２図において、フィルター３３９，３４１における斜線部が遮られる。この場合、紫外線の透過率β％のフィルター３３９，３４１を使用すると、光線量の（１００−α）％は紫外線が１００％透過し、光線量のα％については透過率β％になる。従って、全体としては紫外線透過率は次のようになる。
紫外線透過率＝（１００−α）＋αβ／１００
＝１００−（１００−β）α／１００［％］
このように、紫外線透過率は、１００％からβ％までの間で可変となる。即ち、α＝１００のとき、紫外線透過率はβ％となり、α＝０のとき、紫外線透過率は１００％となる。例えば、光源２がキセノンランプである本実施例においては、紫外線成分は所定基準値の約３倍弱である。従って、β＝３０％のフィルターを使用すれば所定基準値に略等しくなる。これらを考慮にいれた上で、図示しない全光線制御部によって試料台４に設けられた可視光線測定用センサー５からの信号により上記可動式の全光量調節手段３３１を制御するとともに、図示しない紫外線制御部によって紫外線測定用センサー６からの信号により上記可動式の紫外線調節手段３３５を制御する形で照射量を微調整していくことになる。この結果、従来よりも正確な光安定性試験を行うことができる。
尚、上記第一実施例に係る光安定性試験装置では、可動式の紫外線調節手段３３５が全光線調節手段３３１の上に設けられていたが、光束制御手段３５であるインテグレーテッドレンズの上に設けることも可能である。
次に、本発明の第二実施例に係る光安定性試験装置を第４図を参照しつつ説明する。第４図は、本発明の第二実施例に係る光安定性試験装置の光学系を示す要部正面図である。上記本発明の第一実施例と比較してこの第二実施例に係る光安定性試験装置の特徴点は、その光学系のなかの光線調節手段３３において、可動式の紫外線調節手段３３５を全光線調節手段３３１から機構的に分離するとともに紫外線の経路を可視光線の経路と異ならせた状態で紫外線量を調節する点にある。
紫外線の経路を可視光線の経路と異ならせるために光線調節手段３３において、光線選別手段及び光線合流手段であるダイクロイックミラー３４２，３４８が設けられている。このダイクロイックミラー３４２，３４８は所定の基準波長に基づいて光線を選別するもので、本実施例では可視光線を通過させるが紫外光線を反射するように働く。このダイクロイックミラー３４２により光線のなかから紫外線のみが経路を変えることになる。３４４及び３４６は、各々第四反射鏡及び第五反射鏡で紫外線を反射するのに使用される。
３３５は可動式の紫外線調節手段で構成は上記第一実施例と同様である。また、その他の構成は上記第一実施例に係る光安定性試験装置と同様である。
次に、上記構成をした本発明の第二実施例に係る光安定性試験装置の作用・効果を説明する。
光源２から発せられた光線が第一反射鏡３１によって集光される。その後、可動式の全光線調節手段３３１によって全光線即ち可視光線及び紫外線全てが調節制御されることになる。即ち、上記第一実施例と同様に図示しない試料台に取り付けられた可視光線測定用センサーからの信号にもとづいて全光線量が調節制御されることになる。
可動式の全光線調節手段３３１を経た光線は、光線選別手段であるダイクロイックミラー３４２によって紫外線だけが約９０°方向に反射され可視光線はそのまま直進することになる。光線選別手段であるダイクロイックミラー３４２によって約９０°方向に反射された紫外線は第四反射鏡３４４によって約９０°反射され可動式の紫外線調節手段３３５を通る際、紫外線量が制御されることになる。即ち、上記第一実施例と同様に図示しない試料台に取り付けられた紫外線測定用光センサーからの信号にもとづいて紫外線量が調節制御されることになる。
その後、可動式の紫外線調節手段３３５を経た紫外線は第五反射鏡３４６によって略９０°方向に反射され光線合流手段であるダイクロイックミラー３４８によって可視光線と合流することになる。即ち、光線選別手段であるダイクロイックミラー３４８によって紫外線が約９０°方向に反射されダイクロイックミラー３４２を通過した可視光線と平行にされ合流することになる。
その後、光束制御手段であるインテグレーテッドレンズ３５によって光束が真円にされ第二反射鏡３７により試料室に入り、試料に照射されるが、この構成作用は前述した第一実施例に係る光安定性試験装置と同様である。
このように、本発明の第二実施例に係る光安定性試験装置においては、光線調節手段３３において、可動式の紫外線調節手段３３５を全光線調節手段３３１から分離するとともに紫外線の経路を可視光線の経路と異ならせた状態で紫外線量を調節するので、より正確な紫外線量制御が可能となり試料の光安定性をより正確に測定することができる。
尚、上記本発明の第一実施例及び第二実施例に係る発明では、全光線調節手段及び紫外線調節手段として可動フィルターを使用するため、光の分布の均一性をより正確に制御する必要がある。このために、第５図のような試料台を設けることも可能である。第５図は、本発明の第三実施例に係る光安定性試験装置の試料台を示す要部正面図である。このように、試料台４の上にさらに小試料台４１を３つ設け、各小試料台４１を回転可能なように構成することが有用である。この結果、駆動装置７の駆動力による回転軸７１を介した試料台４の回転とともに小試料台４１の回転が加わり光の分布の均一性を改善することができる。この場合、小試料台４１に載置された試料はいわゆるエピサイクロイド曲線を辿ることになるが、特に、回転比が７以上が効果的である。
上述してきた実施例においては、光学系は光源から発せられた光線の絶対量を調節する可動式の全光線調節手段及びこの可動式の全光線調節手段により調節された光線の紫外線の照射量を調節する可動式の紫外線調節手段を有する構成を採用しているが、条件によっては、可動式の紫外線調節手段を経た光線を可動式の全光線調節手段により調節することにより光線の絶対量を調節することも可能である。
本発明の第四実施例に係る光安定性試験装置を第６図を参照しつつ説明する。第６図は本発明の第四実施例に係る光安定性試験装置を示す要部正面図である。
この本発明の第四実施例に係る光安定性試験装置１は上記した本発明の第一及び第二実施例に係る光安定性試験装置と異なり、光源２が蛍光灯のような管型光源で大規模な光学系を有せず、単に反射鏡３１を有するものである。即ち、この第四実施例に係る光安定性試験装置１においては光源２から発せられた光線が直接試料に照射されることになる。
５は可視光線測定用センサー、６は紫外線測定用センサーで試料台４に取り付けられている。試料台４は駆動装置７の駆動力により回転軸７１を介して回転可能になっている。
光源２は６個の光源からなっており、各々、２１，２３及び２５が紫外線過少光源、２２，２４及び２６が紫外線過多光源である。本実施例では、紫外線過少光源として白色蛍光灯及び紫外線過多光源としてＤ６５ランプを使用している。このうち、紫外線過少光源２１，２３，２５が可視光線測定用センサー５からの信号によって制御され、紫外線過多光源２２，２４，２６が紫外線測定用センサー６からの信号によって制御される。即ち、図示しない制御部は、紫外線過少光源２１，２３，２５を可視光線測定用センサー５からの信号によって制御する紫外線過少光源制御部と紫外線過多光源２２，２４，２６を紫外線測定用センサー６からの信号によって制御する紫外線過多光源制御部とを有する。３１は光線を反射するための第一反射鏡である。
次に、上記構成を有する本発明の第四実施例に係る光安定性試験装置１の作用・効果を説明する。
まず、試料台４の上に図示しない試料が載置される。その後、駆動装置７の駆動力により回転軸７１を介して試料台４が回転される。試料台４の回転中、光源２からの発せられた光線が直接又は第一反射鏡３１により反射された光線が図示しない試料に照射されることになる。この際、図示しない紫外線過少光源制御部により紫外線過少光源２１，２３，２５が可視光線測定用センサー５からの信号によって制御され、図示しない紫外線過多光源制御部により紫外線過多光源２２，２４，２６を紫外線測定用センサー６からの信号によって制御
される。
この試験により、具体的に照射量は次のようになった。
瞬時値                  積算値
可視光          １０００ｌｘ            １２００ｋｌｘｈｒ
紫外線          １６〜１７μｗ／ｃｍ２  ２０２ｗｈｒ／ｍ２
上記の実験結果より、正確な照射即ち正確に光安定性試験ができていることがわかる。
尚、本実施例において、制御を全く行わなかった場合の結果は次の通りである。
瞬時値                  積算値
可視光          １０００ｌｘ            １２００ｋｌｘｈｒ
紫外線          ２１〜２２μｗ／ｃｍ２  ２５８ｗｈｒ／ｍ２
このように、紫外線量はやや増えるが実用性は有する。
尚、本実施例では、図示しない紫外線過多光源制御部により紫外線過多光源２２，２４，２６を紫外線測定用センサー６からの信号によって制御されているが、第１０図の３３３の位置即ち光源２と試料台４との間に可動式の紫外線調節手段を設け、この可動式の紫外線調節手段を紫外線測定用センサー６からの信号によって制御することも可能である。
尚、光源２の制御方式としては、第７図（ａ）に示すように、インバータ調光による点滅制御、第７図（ｂ）に示すように、位相制御による点滅制御及び第７図（ｃ）に示すように、比較的長い時間による点滅制御等がある。
尚、制御部において、単に、センサーからの信号の瞬時値のみにより制御するのではなく、照射積算値をも加味して瞬時値を補正しつつ制御するとさらに正確な光安定性試験が可能となる。
上記したように、本発明に係る光安定性試験装置は、正確な紫外線照射及び正確な可視光線照射ができ正確な光安定性試験を実施することができる。
産業上の利用可能性
本発明に係る光安定性試験装置は、光源、当該光源から発せられた光線を調節する光学系、当該光学系を経た光線が照射される試料を載置するための試料台、当該試料台に取り付けられた光線の照射量を測定するための光センサー及び当該光センサーからの信号が伝達され前記光学系を制御する制御部を有する光安定性試験装置において、前記光センサーは可視光線の照射量を測定する可視光線測定用センサー及び紫外線の照射量を測定する紫外線測定用センサーを有し、前記光学系は前記光源から発せられた光線の絶対量を調節する全光線調節手段及び光線の紫外線の照射量を調節する紫外線調節手段を有し及び前記制御部は前記可視光線測定用センサーからの信号により前記全光線調節手段を制御する全光線制御部及び前記紫外線測定用センサーからの信号により前記紫外線調節手段を制御する紫外線制御部を有し、正確な紫外線照射及び正確な可視光線照射ができ正確な光安定性試験を実施することができるので有用である。
【図面の簡単な説明】
第１図は、本発明の第一実施例に係る光安定性試験装置の光源及び光学系を示す要部正面図である。
第２図は、本発明の第一実施例に係る光安定性試験装置の光学系における紫外線調節手段を示す要部斜視図である。
第３図は、本発明の第一実施例に係る光安定性試験装置の試料台を示す要部斜視図である。
第４図は、本発明の第二実施例に係る光安定性試験装置の光学系を示す要部正面図である。
第５図は、本発明の第三実施例に係る光安定性試験装置の試料台を示す要部正面図である。
第６図は、本発明の第四実施例に係る光安定性試験装置を示す要部正面図である。
第７図は、本発明の第四実施例に係る光安定性試験装置における制御方式を示す図で、（ａ）はインバータ調光方式、（ｂ）は位相制御方式及び（ｃ）は比較的長いタイミングのＯＮ／ＯＦＦ制御方式を示す図である。
第８図は、従来技術に係る第一の光安定性試験装置を示す要部正面図である。
第９図は、従来技術に係る第一の光安定性試験装置の細部を示す要部正面図である。
第１０図は、従来技術に係る第二の光安定性試験装置を示す要部正面図である。
第１１図は、太陽光、キセノンランプ及びＤ６５ランプのスペクトル分布を示す図である。
【図１】
2003002983.tif 000003
【図２】
2003002983.tif 000004
【図３】
2003002983.tif 000005
【図４】
2003002983.tif 000006
【図５】
2003002983.tif 000007
【図６】
2003002983.tif 000008
【図７】
2003002983.tif 000009
【図８】
2003002983.tif 000010
【図９】
2003002983.tif 000011
【図１０】
2003002983.tif 000012
【図１１】
2003002983.tif 000013
【国際調査報告】
2003002983.tif 000014
2003002983.tif 000015
2003002983.tif 000016
2003002983.tif 000017